(57)【特許請求の範囲】
【請求項１】
容器の首（70）と、封止体と、不正開封証明リング（80）とを備え、
容器の首が、第１のねじ山、上記第１のねじ山の下方に配置された半径方向に突出するビード（72）、および上記半径方向に突出するビードの下方に配置された１以上のラチエット突起（74）を有し、
封止体が、頂部およびスカート部を有し、スカート部には封止体を首に取り付けるための第１のねじ山と補完的な第２のねじ山が設けられ、
不正開封証明リングが、切断可能な結合部によって封止体のスカート部に結合されており、かつ首のためのほぼ環状のカラー、カラーから延びる複数のタブ（82）、および各タブのために少なくとも一つ宛カラーに設けられた複数の開口部または凹部を備え、タブがリングの中心軸に対して半径方向内方へ斜めに傾斜し、各タブがカラーに対し、半径方向外方へ曲がることができるようにするために、各開口部または凹部がカラーに隙間を区画し、
上記ラチエット突起が、不正開封証明リングの上記首にねじ込む方向への回転を許容し、タブに突き当たることによって不正開封証明リングの緩める方向への回転を阻止するように構成され、
それにより、タブは、封止体が容器の首に最初にねじ込まれるときには、不正開封証明リングが切断可能な結合部を破壊することなくビードを通過することができるように外方へ曲がり、不正開封証明リングがさらにねじ込む方向へ回転されるときにはラチエット突起を通過して回転し、
それにより、封止体が容器の首から最初にねじ外されるとき、タブがビードの下面に突き当たるとともに、ラチエット突起に突き当たって、上記不正開封証明リングに軸方向および周方向の破壊力を発生させ、上記不正開封証明リングを上記封止体から上記切断可能な結合部において切断する容器の封止体組立体。
【請求項２】
ラチエット突起（74）の少なくとも一つが、円周に沿ってまたはアーチ状に延びる傾斜面（76）と当接面（78）とを有する傾斜形状を備えている請求項１の組立体。
【請求項３】
首（70）に設けられた上記ラチエット突起（74）が、ビード（72）に結合され、かつビードの下面から延びている請求項１または２の組立体。
【請求項４】
封止体を首の所定の閉位置に確実に引き止めるためのロック機構（90）をさらに備えている先行する請求項のいずれかの組立体。
【請求項５】
上記各タブの厚さがその自由端に向かって薄くなっている先行する請求項のいずれかの組立体。
【請求項６】
各タブがその固定端においてヒンジ結合によって支持されている先行する請求項のいずれかの組立体。
【請求項７】
上記タブがカラーと一体に形成されており、ヒンジ結合が柔軟な材質によって形成されている請求項６の組立体。
【発明の詳細な説明】
詳細な説明
この発明は、容器の封止体の不正開封証明リングに関する。特に、容器の封止体が取り外されたときに容器の首に残るように意図されたリングに関する。
公知の設計の不正開封証明リングは、リングを容器の封止体に当初結合する複数の切断可能な結合部と、首のリムの後部に係合する複数の堅い半径方向の傾斜突起とを含む。封止体が最初に取り外されるとき、突起はリムに突き当たってリングを首に引き止める。これにより、リングが封止体から切断される。突起の傾斜形状は、リングがリムを覆って容易に装着されることができるが、容易には取り外すことができないように意図されている。
しかしながら、この設計の問題は、使用に際しての信頼性の達成にある。典型的には、この種のリングは、信頼性がほぼ80％である。もし、突起が過度に小さいと、リングは首に確実には引き止められないであろうし、封止体が最初に取り外されるときに、元のままで、あるいは一部が元のままで封止体に残るであろう。とりわけ、一旦取り外された封止体からリングを分離しなければならないことは使用者に取って不便であり、このことは、リングが不正開封防止を保証することができないことも意味する。
他方、もし突起がリングを首に確実に引き止めることができるほど大きいならば、そのときには切断可能な結合部のいくつかが損傷することなくリングを首に最初に装着することが困難になる。リングが装着されるとき、リングは突起がリムを乗り越えることができるようにするために一時的に拡張しなければならないであろうし、拡張によって切断可能な結合部に引き起こされる過度の応力が結合部を早すぎる破壊へと導くかもしれない。
この発明は、上記の問題に鑑みて、特に不正開封証明リングの改良された設計を提供するという目的をもってなされたものである。
第１の面において、この発明は、リムを有する容器の首と、その首のための容器の封止体を含む容器の封止体組立体のための不正開封証明リングを提供する。不正開封証明リングは、首のためのカラーと、カラーから延びる複数のタブとを有する。タブは、使用時に首のリムに係合してリムを首に引き止めるために、リングの中心軸に対して半径方向内方へ斜めに傾斜している。タブは、半径方向外方へ、かつカラーに対して弾性的に曲げ可能であり、不正開封証明リングが首のリムを覆って最初に装着されるとき、カラーを実質的に拡張させることなく、外側に曲がることができるようにカラーから延び出している。
リングがこのような形態であると、リングを容器の首に装着するとき、カラーは実質的に拡張する必要がない。そしてこれにより、不正開封証明リングとリムとの間の摩擦力を減少させ、かつ封止体に対して分離可能などのような結合部に生じる応力も減少させる。タブは、一旦容器の首のリムを通り過ぎると、リムの背後または下に確実に位置することができる。それにより、封止体が最初に取り外されるときにリングが首に確実に引き止められることを保証する。
ここで用いられる「リム」または「ビード」という語が容器の首の周りに延びるどのような種類の半径方向のフランジをも含むことを理解すべきである。リムまたはビードは、首の開口端部に配置してもよく、あるいは開口端部から離して配置してもよい。
リングは、角度的に互いに離れ、かつ互いに独立して外側へ曲がることができる複数のタブを備えていることが望ましい。タブの数は、例えば２から８とするが、必要に応じてそれより多いタブを用いてもよい。タブの数は、リングの適用、特に容器の首の直径に依存する。
各タブは、長さ（すなわち、カラーに結合された端部から遠い端部まで）に沿って弾性的に曲がることができるものであることが望ましい。これにより、リングが容器の首のリムを覆って装着されたとき、各タブがリムの後端に確実に係合する位置に弾性復帰することが保証される。
各タブは、弾性を改良するために、その自由端部に向かって先細りであることがよい。一つの実施例において、各タブはその自由端に向かって薄くされ、弾性的に曲げ可能である葉または剣の形態をなす。
弾性であることに加えて、あるいはそれの代わりに、一以上のタブが、その固定端においてヒンジによって支持されていてもよい。ヒンジは、タブと一体であってもよく、柔軟な材質によって形成してもよい。
望ましい実施例において、タブは、不正開封証明リングと一体であってもよく、プラスチックのような変形可能または柔軟な材質によって形成してもよい。タブは、その弾性と、不正開封証明リングとの結合部におけるヒンジ効果との両者によって曲がることができる。
一つの形態において、不正開封証明リングは、カラーが容器の首のリムに直接接触することなくリムを覆って容易に装着することができるように寸法決めされている。タブは、容器の首のリムの後部に弾性的に係合するために、カラーから半径方向内方へ突出するように傾斜させられている。
不正開封証明リングは、封止体が容器の首から最初に取り外されるとき、容易に破損するように設計された切断可能な結合部によって封止体に結合されていてもよい。
一つの形態において、不正開封証明リングは、角度的に離れて配置された複数の第１および第２の部分を備えていてもよい。第１の部分は、前述のように、複数のタブを区画する。第２の部分は、切断可能な結合部によって封止体に結合される領域を区画する。第１および第２の領域は、不正開封証明リングを少なくとも部分的に通り抜けて延びる溝またはギャップによって互いに分離されている。第１および第２の部分は、不正開封証明リングに交互に配置してもよいが、他の配置を用いることも可能である。
このように配置すると、タブを区画する部分は、封止体に結合される他の部分に対してほぼ独立して曲がることができる。このように、タブが曲げ可能であることは、リングが首のリムを覆って装着されるとき、切断可能な結合部に損傷を与える危険性をなくす。
望ましい実施例において、溝は、半径方向にリングを貫通するが、軸方向には全体を貫通しない。
この発明の不正開封証明リングは、対子供用または非対子供用封止体と共に用いてもよい。リングは、検査のために常時見ることができるようにするために露出させてもよい。それに代えて、リングは、封止体が容器の首から最初に取り外されるまで、外部から見えないように封止体のスカート内に隠して配置してもよい。
第２の面において、この発明は、リムを有する容器の首と、それのための容器の封止体とを含む容器の組立体のための不正開封証明リングを提供する。不正開封証明リングは、首のためのカラーと、カラーから延びる複数のタブとを備えている。タブは、使用時にリムと係合してリングを首に引き止めるために、リングの中心軸に対して半径方向内方にかつ斜めに傾斜させられている。タブは角度的に離れて配置されており、タブが半径方向外方に互いに独立して弾性的に曲がることができるよう、一以上のギャップまたは溝が隣接するタブの間に形成されている。それ故、不正開封証明リングが首のリムを覆って最初に装着されるとき、タブは外方に曲がることができる。
このような配置では、ギャップは、タブが互いに独立して外方へ曲がることを許容する。かくて、リングは、対応する鉤状突起が共通の円筒状のウエブまたは壁部の内面に支持された従来の設計より容易にリムを覆って装着することができる。
第３の面において、この発明は、リムを有する容器の首と、それのための容器の封止体とをを含む容器の封止体組立体のための不正開封証明リングを提供する。不正開封証明リングは、角度的に離れて配置された複数の第１および第２の部分を備えている。第１の部分は、リングの中心軸に対して半径方向内方へ斜めに傾斜した複数のタブを区画する。第２の部分は、切断可能な結合部によって上記封止体に結合するための領域を区画する。第１の部分は、半径方向外方へ弾性的に曲げ可能である。第１および第２の部分の隣接するものは、第１の部分が第２の部分に独立して半径方向外方へ曲がることができるよう、ギャップによって分離されている。
このような配置では、リングが首のリムを覆って最初に装着されるとき、第１の部分によって区画されるタブ第２の部分に対してほぼ独立して曲がることができるであろう。これにより、不正開封証明リングと首のリムとの間の摩擦力が減少するとともに、封止体に対する切断可能な結合部における応力が減少する。かくて、最初の装着の間に分離可能な結合部が損傷を受ける危険性を大きく減少させることができる。
第４の面において、この発明は、リムを有する容器の首と、それのための容器の封止体とを含む容器の封止体組立体のための不正開封証明リングを提供する。不正開封証明リングは、首のための概ね環状であるカラー、カラーから延び、使用時の首のリムに係合して首にリングを引き止めるために、リングの中心軸に対して半径方向内方へ斜めに傾斜した複数のタブ、およびカラーに、各タブのために少なくとも一つ宛形成された複数の開口部または凹部を備えている。各開口部または凹部は、カラーに隙間を区画して、不正開封証明リングが首のリムを覆って最初に装着されるとき、タブが半径方向外方へカラーに対して曲がることができるようにする。
一つの実施例において、カラーは、カラーの壁を通過し、各タブの周辺を囲む開口部を有する。開口部は、環状のカラーに結合されるタブの端部を除き、タブの周りに隙間を区画する。カラーは、全体の一部として形成され、かつ角度的に離れて配置された複数のアーチ状の部分によって互いに離れて配置された二つの環状の「ビード」の形態を有していてもよい。タブは、隣接するアーチ状の部分と、タブの周りの開口部を区画するアーチ状の部分間のギャップとの間の角度位置において、これらのビードの一つから延びる。
そのような設計では、不正開封証明リングが概ね円筒状をなす外形を有することができ、かつその上端を概ね滑らかにすることができる。そのような形態は、後の使用時において封止体を装着または取り外す際に、手に引っ掻き傷を付けるおそれがある外側の突起を避けるために望ましい。
この発明の第１の面に関連して上述したように、タブはその長さに沿って弾性的に変形可能であることが望ましい。それに加えて、またはそれに代えて、タブは、柔軟な「ヒンジ」材によってリングの残物に結合されるのがよい。
さらに別の面において、この発明は、リムを有する容器の首、首にねじ止めすることができる容器の封止体、および切断可能な結合部によって封止体に結合される不正開封証明リングを備えた組立体を提供する。リングは、内方へ突出し、かつ首の開口端に向かって上方に傾斜した複数のタブを備えている。タブは、リムに対向して配置され、リングを首に引き留める。タブは、リングが最初はリムを越えて装着されることができるよう、リングに対して外方へ曲がることができる。組立体は、封止体が最初に取り外されるときに、少なくとも部分的な捩り力が切断可能な結合部に加わるよう、首に対するリングの回転に抵抗する手段をさらに備えている。
このような配置では、切断可能な結合部は、捩り剪断力と軸方向の引っ張り力との両方を受け、封止体が最初に取り外されるときに確実に剪断されることを保証する。さらに、曲げ可能なタブは、組立体が軸方向の引っ張り力だけで切断可能な結合部を分断するときほど大きな軸方向力を受けることがない。
回転抵抗手段は、封止体を一方向へ回転させて容器の首から緩めるときにリングの回転に抵抗するが、封止体を他方向へ回転させて首に最初に締め付けるときにはリングの回転に対して実質的に抵抗することがないことが望ましい。そのように構成すれば、封止体を首に締め付けるときに、切断可能な結合部に捩り力が実質的に加わるのを避けることができる。その力は、切断可能な結合部に損傷を与える危険性があるかもしれない。
抵抗手段は、リングと首とに設けられた協働する突起を含むことが望ましい。突起は、一方向の回転には抵抗し、他方向の回転は許容するラチエットとして協働することが望ましい。
少なくとも一方の突起は、円周に沿って、または円弧状に延びる傾斜面と、当接面とを有する傾斜形状を備えていることが望ましい。
突起は、首の開口端からリムより離れた軸方向の位置における首に配置されるのが望ましい。一つの形態において、その突起は、リムに接触または結合していてもよい。望ましい実施例において、その突起は、リムの下（容器が直立しているとき）から軸方向に延びる「停止部」を含み、かつリムに一体に結合される。
リングの対応する突起は、リムと係合する一以上のタブを備えていることが好都合である。かくて、そのタブは、二つの役割を有するであろう。第１に、タブはリムと軸方向に協働してリングを首に引き止めることができる。第２に、タブは、首の停止部と回転的に、または周方向に協働してリングの回転に抵抗することができる。
首には一以上の停止部を設けてもよい。停止部は、封止体を最初に緩め始めるときに、タブとそれぞれ係合するよう、角度的に離れて配置してもよい。首の停止部の数は、例えば、リングのタブの数と等しい。
組立体は、封止体の首における所定の閉位置を決めるとともに、封止体をそこに確実に引き止めるためのロック機構をさらに含むことが望ましい。封止体が所定の閉位置に位置しているとき、タブは首の停止部に関して適切な所定の箇所に位置しているように配置されていることが望ましい。例えば、タブは、停止部の近くにまたは接して配置されるのが望ましい。そのようにすれば、封止体を最初に緩め始めたとき、タブは、封止体を限定された量だけ回転させると停止部に突き当たり、それによってリングのそれ以上の回転に抵抗し、切断可能な結合部に捩り応力を加える。
さらに別の面において、この発明は、リムを有する首、首に確実にねじ止めされる容器の封止体、および切断可能な結合部によって封止体に結合された不正開封証明リングを含む組立体を提供する。リングは、使用時にリムと軸方向に対向して位置して、リングを首に引き止める複数の内方へ突出する鉤爪を備えている。組立体は、首に設けられた手段をさらに有する。その手段は、鉤爪の一または複数と協働して、首に対するリングの回転に抵抗する。それにより、封止体が最初に取り外されるときに、少なくとも部分的な捩り力が切断可能な結合部に加えられる。
首に設けられる手段は、封止体が一方向に回転させられて首からねじ外されるとき、鉤爪の複数と協働して、リングの回転に抵抗する回転ラチエットを構成するのが望ましい。しかし、その手段は、封止体が逆方向に回転させられて首に最初に締め付けられるときには、リングの回転に実質的に抵抗することがない。
さらに別の面において、この発明は、前述の特徴の一以上を有する不正開封証明リングを有する容器の封止体を備えた封止体組立体を提供する。
さらに別の面において、この発明は、容器の首、容器の封止体、および前述の特徴の一以上を有する不正開封証明リングを含む容器の封止体組立体を提供する。
組立体は、封止体を首の閉位置に確実に引き止める手段を含むことが望ましい。そのような手段は、首と封止体とにそれぞれ設けられた相互係合可能なロック要素を備えていてもよい。
封止体は、ほぼ360゜またはそれより少ない回転により、首に締め付け可能であるか、または首から取り外し可能であることが望ましい。この角度は、ほぼ180゜またはそれより少ない角度であることがより望ましく、ほぼ90またはそれより少ない角度であることが最も望ましい。
いま、この発明の具体化につき、次の図を参照しながら実施例に基づいて記述する。
ここに、図１は、容器の封止体組立体に装着された不正開封証明リングを示す断面図であり、
図２は、図１の組立体の一部の側面図であり、
図３は、図１の不正開封証明リングの一部を分離して示す平面図であり、
図４は、リングの改良された形態を示す図２と同様の図であり、
図５は、対子供用の容器の封止体組立体に装着される図１のリングを示す断面図であり、
図６は、リングのさらに改良された形態を示す図２と同様の図であり、
図７は、容器の首に装着された封止体を示す、図６のVII−VII線に沿う断面図であり、
図８は、容器の首と別の具体化された不正開封証明リング（封止体から分離されている）との部分側面図であり、
図９は、リングが図８の容器の首とどのようにして協働するかを示す上方から見た部分断面図であり、
図10は、不正開封証明リングの改良された具体例を示し、
図11は、改良された首の構造を示し、
図12は、図11に示す首の上方から見た部分断面図である。
図１〜３を参照するに、容器の封止体組立体は、ねじ山が形成された首10、頂部とスカート部を有しスカート部にねじ山が形成されて首に適切に装着されるように適合された封止体12、および不正開封証明リング14を含む、首10は、その開口端の下方に半径方向に突出するリム16が形成されている。リム16（ビード）は、上向きに傾斜した傾斜面18と、当接背面20とを有している。
封止体12および首10は、封止体12をほぼ1/4回転（すなわち、ほぼ90゜）だけ相対回転させることによって首10に対して締め付け、または緩めて外すことができる係合可能なねじ山11（第1,第２のねじ山）を有している。封止体12は、首10に形成された停止部15に係合する固定用リブ13を有している。リブ13と停止部15（ロック機構）とは、それらに緩める方向への所定の解放トルクが加えられて、リブ13と停止部15との係合が解除するまで、封止体12を首10の完全な閉位置に保持するロック効果を互いに供給する。
不正開封証明リング14は、概ね強固な環状のカラー部22（カラー）を備えている。このカラー部からは、指部24（タブ）の形態をなす複数の第１の部分と、軸方向の城26の形態をなす複数の第２の部分が延び出している。城部26および指部24は、カラー部22の周りの角度的に離れた箇所に交互に配置されている。各指部24は、上方へ向かって半径方向内方へ傾斜し、かつ自由端に向かって先細りになっている。隣接する指部24と城部26とは、ギャップ28（開口部または凹部）によって分離されている。ギャップは、軸方向にはリングの途中まで延びており、半径方向にはリングを貫通して延びている。
指部24の数は、一般的には２〜８にするのがよいが、もし必要ならそれより多くの指部を用いてもよい。この具体例は、８つの指部24を用いており、それらはカラー部22の周りに等角度間隔をもって配置されている。
不正開封証明リング14は、封止体12の下端に複数の薄い切断可能な橋状部または結合部30によって結合されている。各結合部は、各城部26と、封止体12の下端部の対応する箇所に配置された対応する城部または突起32との間を延びている。リング14の城部26の軸方向の高さは、指部24とおおよそ同一である。
リング14は、その全体がプラスチックを型成形することによって形成されている。カラー部22の内径は、カラー部22がリム16に実質的に直接接触することなくそれを覆って装着されるのに十分な大きさを有している。しかしながら、指部24の自由端によって定められるピッチ円径は、リム16の外径より小さい。それ故、指部24はリム16に係合することができる。
指部24は、半径方向外方へ曲がることができるように設計されている。封止体12が首10に最初に装着されるとき、指部24はリムの傾斜面18に係合し、外側に曲がってリムを乗り越える。各指部24は、テーパ状をなしているので、その自由端に向かうほどより大きく曲がることができる。プラスチック材の弾性は、指部を柔軟にすることができるとともに、指部ががリム16を乗り越えたときにその内側に傾斜した位置に弾性復帰することを保証する。プラスチック材は、各指部24がリング14のカラー部22に結合される箇所にヒンジ効果も付与する。
上記の設計は、指部24が、城部26に対して独立して、かつカラー部22の外側への拡張を引き起こすことなく外側へ曲がることができることを保証する。したがって、封止体12が首10に最初に嵌合して、リング14が首10に係合するとき、リング14とリム16との間に発生する摩擦力は、従来の設計に比して大きく減少する。その結果、切断可能な結合部30は、より少ない応力しか受けることがなく、切断可能な結合部30の損傷の危険性が減少する。
一旦リング14がリム16を覆って装着されると、指部24は、その傾斜した位置に弾性復帰してリム16の背面に係合することができる。封止体12が最初に取り外されるとき、指部24の端部は、リム16の当接面20に係合して、リング14を首10に確実に引き止めることができる。切断可能な結合部30は、封止体12が首に引き止められたリング14から離れるにしたがって引き裂かれる。
封止体12をリング14とともに首10に最初に装着するとき、リング14に回転方向および軸線方向下向きの圧力をリング14に直接作用させるためのある手段を供給することが、封止体からのこの圧力の供給を単に切断可能な結合部30に頼るよりも賢明であることが解るであろう。しかしながら、指部24を設置することにより、リング14とリム16との間に発生する摩擦力が軽減され、それによってより容易な装着が提供される。
図４は、若干改良した形態の不正開封証明リング14aを示しており、それにおいてはリングの城部26aの寸法が指部24aの寸法に対して増大させられている。封止体の城部が省略され、切断可能な結合部30aが封止体の下端縁に直接結合されている。リング14aの機能的な設計は、上記リング14のものと同様である。
図５は、対子供用封止体40に設けられた不正開封証明リング14を示している。封止体40は、内側部分42と軸線方向に置換可能な外側部分44とを含み、それらは対子供用機構（図示せず）によって互いに結合されている。リング14は、内側部分42に切断可能な結合部46によって結合されている。図５に示すように、外側部分44は、外側部分44が押し下げられないとき、不正開封証明リング14を覆うようには下方に延びていない。これにより、切断可能な結合部46を点検してそれらが元のままであるかどうかを確認することができる。
図６および図７は、不正開封証明リング50のさらに改良された形態を示している。リングは、前の実施例と同様に、型成形されたプラスチックによって全体が形成されているが、前の実施例の城部は、タブ56の周りを延びる開口を有する円筒状の壁部52によって置き換えられている。開口部54は、タブ56の上側および左右両側に隙間を提供し、タウ56が円筒状の壁部52によって妨害されることなく半径方向外方へ曲がることができるようにする。かくて、タブは、円筒状の壁部52に圧力をかけることなく、かつリング50の上端縁を封止体の下端縁に結合する切断可能な結合部58に損傷を与えるおそれなく、弾性的にヒンジ回動するとともに、曲がることができる。
図８に示す首の設計は、図１〜図７に示す実施例と同様である。首70は、図１〜図７に示すリム16と同一の形状を有するリム72（ビード）を含む。リム72の軸線方向下方には、二つの停止部74（ラチェット突起）が径方向の反対側の箇所に形成されている。図８および図９には一つの停止部だけが示されている。
各停止部74は、円周方向に延びる傾斜面76と、実質的に半径方向に延びる当接面78とを有している。停止部の半径方向の最も外側の箇所は、リム72の半径方向の最も外側の箇所とほぼ同一高さである。この実施例においては、当接面78の端部形状は実質的に直角である。
不平開封証明リング80は、図１〜図７に示す設計と同様であり、複数の柔軟な葉片またはタブ82を含む。封止体が（例えば、時計方向に）最初にねじ込まれるとき、タブ82は、リム72に押し付けられてリング80のカラー部に対して半径方向外方へ曲がり、リング80がリム72を覆って容易に装着されることができるようにする。
タブ82は、停止部74と協働して回転ラチエット機構を構成する。時計方向（すなわち締め付け方向）に回転させたとき、それぞれのタブ82は、停止部74の傾斜面76に押し付けられる。タブ82は、半径方向外方に曲がって傾斜面76を容易に乗り越えることができる。かくて、封止体の最初のねじ込み中、停止部74は、リングの回転移動に抵抗することがなく、切断可能な結合部が力を受けることがない。
反時計方向（すなわち、ねじを緩める方向）に回転させたとき、それぞれのタブ82は、停止部74の当接面78に突き当たる。当接面78は、停止部として働き、リング80が首に対して反時計方向へさらに回動するのを阻止する。かくて、封止体が最初に緩めて取り外されるとき、リング80は、リング80が停止部74によってさらに回転するのを阻止されるまで最初は封止体と共に移動する。その後、封止体を緩め続けると、切断可能な結合部に捩り応力が発生し、結合部が分断される。
捩り応力が切断可能な結合部に加えられるのと同時に、封止体が首70のねじ山を上方へ移動するときにタブ82がリム72の下面に押し付けられる。それ故、図１〜図７に示す実施例において記述したものと同様に、切断可能な結合部には軸方向の引張力が作用する。
捩り剪断力と軸方向の剪断力との両者を用いることにより、切断可能な結合部の剪断をより確実に、かつより予測可能に達成することができる。このことは、我々の国際特許出願番号PCT/GB91/00850およびPCT/GB92/01255において記述された封止システムのように、封止体が閉位置と開位置との間をほぼ90゜（または、それより小さい角度）だけ移動可能であるときに特に重要である。
この実施例においては、タブ82が２つの役割を有していることが理解されるであろう。第１に、タブはリム72に係合してリング80を軸線方向において首70に引き止めておくことに役立つ。第２に、タブは停止部74に係合して首70に対するリング80の回転を制限することが役立つ。
首70、リング80および封止体を適切に設計することにより、封止体が最初に取り外されるときに切断可能な結合部に作用する捩り応力および軸方向の応力の相対的な量を制御することができることが理解されるであろう。例えば、このことは、停止部74が回転係合されるときの封止体の位置と、リム72が軸方向に係合されるときの封止体の位置とに依存する。ある実施例において、軸方向および捩り応力が同時に発生することは望ましいことかもしれない。他の実施例においては、例えば捩り応力が最初に作用し、（封止体をさらに回転させたとき）引き続いて軸方向の応力が発生することが望ましいかもしれない。
この代表的な実施例は、首における封止体の閉位置を確実に決定するとともに、所定の開封トルクが作用するまで封止体を閉位置に確実に引き止めるロック装置をも含んでいる。ロック装置（ロック機構）は、リム72の上側の首70に設けられた停止部90を備えており、停止部は封止体の対応するリブ（図示せず）と協働する。封止体が首の所定の閉位置にあるとき、封止体を反時計方向へ必要とされる少量だけ回動させると、それぞれのタブ82が停止部74と係合するようにタブ82が二つの停止部に対して配置されている。
図10は、停止部74と共に用いられる不正開封証明リング80の変形例を示している。図10においては、タブ82は、リングから内側に突出する固定フックまたは鉤爪突起92に置き換えられている。突起92は、上述のタブ82と同様に、軸方向の保持／回転の制限の役割を果たす。
図11および図12は、首70に形成された停止部の変形例を示す。これらの図において、停止部96（ラチェット突起）は、リング72から軸方向下方へ向かうにしたがって半径方向内方へ向かうような面取りが施されている。停止部96の軸方向の長さは、上述の停止部74より短い。停止部は、上述の傾斜面76と同様の周方向の傾斜面98と、上述の当接面78と同様の三角形の当接面99とを有している。停止部の他の設計も用いることができることが理解されるであろう。
首に形成される停止部の数は、不正開封証明リングが用いられる適用例に依存してもよい。この実施例に関するなら、二つの停止部で十分であろうことが分かり、また二つの停止部は対角線的に反対側に配置されることで十分に強固である。しかしながら、他の実施例では停止部をより少ない数（例えば、一つ）またはより多い数（例えば、四つ、六つまたは八つ）用いてもよい。
さらに別の実施例（図示せず）においては、封止体が元のままであるとき、リングを外部から見えないように実質的に隠すスカート部を封止体に設けてもよい。その場合には、リングが封止体から一旦切り離されると、リングが首のより下側の部分に落ちるので、封止体が首に再度装着されたとしてももはや隠されることはない。
この発明の不正開封証明リングは、容器の封止組立体の他の多くの設計と共に用いてもよい。しかしながら、我々の国際特許出願番号PCT/GB91/00850（WO91/18799として公開）およびPCT/GB92/01255（WO93/01098として公開）に記載された組立体と共に用いるのが特に適している。これらの公開された書類の内容は、参照としてここに取り入れられている。
上記の内容がこの発明を説明するための単なる実施例であり、かつこの発明の範囲と原則から外れないならば細部を変形してもよいことが理解されるであろう。
【図２】
0003552720.tif 000002
【図１０】
0003552720.tif 000003
【図１】
0003552720.tif 000004
【図３】
0003552720.tif 000005
【図４】
0003552720.tif 000006
【図５】
0003552720.tif 000007
【図７】
0003552720.tif 000008
【図６】
0003552720.tif 000009
【図８】
0003552720.tif 000010
【図９】
0003552720.tif 000011
【図１１】
0003552720.tif 000012
【図１２】
0003552720.tif 000013